(57)【要約】【課題】１個ずつ円形状部材を取り出すことができると共に、不用意に内部の円形状部材が飛散することがない。【解決手段】円形状部材１を受ける受け部３３を有し、側壁部３１の受け部３３側には、開口横幅Ｈ１が円形状部材１の外径Ｈ０より僅かに小さく、かつ開口縦幅ｔ１が円形状部材１の厚さｔ０より僅かに大きく形成された出入口部３４が形成され、この出入口部３４に対応した反対側の側壁部３１の受け部３３側及び受け部３３には、開口横幅Ｈ２が円形状部材１の外径Ｈ０より十分に小さく、かつ開口縦幅ｔ２が円形状部材１の２個の厚さ（ｔ０の２倍）より小さい押し出し部３５が形成されている。【選択図】      図１
2006346133.tif 000002
【特許請求の範囲】
【請求項１】
円形状部材を収納する円筒状本体を有し、この円筒状本体は、透明又は半透明の樹脂材にて一体的に成形されており、一方端が開放した開放口に形成され該開放口を塞ぐように蓋が着脱自在に嵌挿されるか、または密閉構造となっており、他方端に円形状部材を受ける受け部を有し、側壁部の受け部側には、開口横幅が円形状部材の外径より僅かに小さく、かつ開口縦幅が円形状部材の１枚の厚さより僅かに大きい出入口部が形成され、この出入口部に対応した反対側の側壁部の受け部側及び受け部には、開口横幅が円形状部材の外径より十分に小さく、かつ開口縦幅が円形状部材の２個の厚さより小さい押し出し部が形成されていることを特徴とする円形状部材収納用の円筒状容器。
【発明の詳細な説明】
【技術分野】
【０００１】
本発明は、円形状の駒，コイン，メダル等の円形状部材を収納する円筒状容器に関する。
【背景技術】
【０００２】
円形状の駒，コイン，メダル等の円形状部材を収納する円筒状容器として、例えば特許文献１及び２に示すものが知られている。
【特許文献１】実開平６−１３５３２号公報
【特許文献２】特開２００１−１１８１１９号公報
【０００３】
特許文献１は、コインを入れる円筒状容器の一端に蓋を有し、側壁部には縦方向にスリットが形成されている。
特許文献２は、縦に開閉できる筒型の容器となっており、閉じた状態を固定するための開閉可能な留め具を設けている。また容器の内部にコインを一定枚数が入る仕切りを設けている。
【発明の開示】
【発明が解決しようとする課題】
【０００４】
上記従来技術は、いずれも簡単な構造であり、安価に製作できるという特徴を有する。
しかし、特許文献１は、コインを１個ずつ取り出すには非常に不便である。またコインの取り出し及び収納の際には、必ず蓋を取り外す動作を必要とする。
特許文献２は、留め具を外して筒型の容器を開けた状態では必要な枚数を一度に取り出すことができ便利である。しかし、留め具が外部の力で不用意に外れ、内部のコインが飛散する虞がある。また容器を開けた状態での取り扱いに注意を要し、取り扱いが悪い場合にはコインが飛散する虞がある。
【０００５】
本発明の課題は、１個ずつ円形状部材を取り出すことができると共に、不用意に内部の円形状部材が飛散することがない円形状部材収納用の円筒状容器を提供することにある。
【課題を解決するための手段】
【０００６】
上記課題を解決するための本発明の請求項１は、円形状部材を収納する円筒状本体を有し、この円筒状本体は、透明又は半透明の樹脂材にて一体的に成形されており、一方端が開放した開放口に形成され該開放口を塞ぐように蓋が着脱自在に嵌挿されるか、または密閉構造となっており、他方端に円形状部材を受ける受け部を有し、側壁部の受け部側には、開口横幅が円形状部材の外径より僅かに小さく、かつ開口縦幅が円形状部材の１枚の厚さより僅かに大きい出入口部が形成され、この出入口部に対応した反対側の側壁部の受け部側及び受け部には、開口横幅が円形状部材の外径より十分に小さく、かつ開口縦幅が円形状部材の２個の厚さより小さい押し出し部が形成されていることを特徴とする。
【発明の効果】
【０００７】
押し出し部より円形状部材を押すことにより、円筒状本体内より円形状部材を１個ずつ取り出すことができる。また、円筒状本体の側壁部の受け部側には、開口横幅が円形状部材の外径より僅かに小さく、かつ開口縦幅が円形状部材の１枚の厚さより僅かに大きく形成された出入口部が形成され、この出入口部に対応した反対側の側壁部の受け部側及び受け部には、開口横幅が円形状部材の外径より十分に小さく、かつ開口縦幅が円形状部材の２個の厚さより小さい押し出し部が形成されているので、不用意に内部の円形状部材が飛散することがない。
【発明を実施するための最良の形態】
【０００８】
本発明の円形状部材収納用の円筒状容器の一実施の形態を図１及び図２により説明する。円形状の駒，コイン，メダル等の円形状部材１を収納する容器２は、円筒状本体３と蓋４とならなっている。円筒状本体３は次のような構造となっている。
【０００９】
側壁部３１の一方端（図１において上端）は開放した開放口３２となっており、この開放口３２を塞ぐように円筒状本体３には蓋４が着脱自在に嵌挿されている。側壁部３１の他方端（図１において下端）は円形状部材１を受ける受け部３３を有している。側壁部３１の受け部３３側には、円形状部材１を出し入れするための出入口部３４が切り欠いて形成されている。出入口部３４は、開口横幅Ｈ１が円形状部材１の外径Ｈ０より僅かに小さく、かつ開口縦幅ｔ１が円形状部材１の１枚の厚さｔ０より僅かに大きく形成されている。出入口部３４に対応した反対側の側壁部３１の受け部３３側及び受け部３３には、押し出し部３５が切り欠いて形成されている。押し出し部３５は、開口横幅Ｈ２が円形状部材１の外径Ｈ０より十分に小さく、かつ開口縦幅ｔ２が円形状部材１の２個の厚さ（ｔ０の２倍）より小さく円弧状に切り欠いて形成されている。このような構造よりなる円筒状本体３は、透明又は半透明の樹脂材にて一体的に成形されている。
【００１０】
次に作用について説明する。容器２内に収納された円形状部材１を取り出すには、受け部３３側を下方にして左手の手の平を上にして側壁部３１の下方部を持ち、押し出し部３５より円形状部材１を右手の人差し指で矢印Ｂ方向に押し出し、その同じ右手の人差し指と親指で３分の１位出てきた円形状部材１を挟み出す。その作業を１枚１枚に対して行う。
【００１１】
ところで、出入口部３４の開口横幅Ｈ１は、円形状部材１の外径Ｈ０より僅かに小さく形成されているが、円筒状本体３は樹脂材よりなるので、前記したように円形状部材１を矢印Ｂ方向に押した場合、円筒状本体３の開口横幅Ｈ１部分が外側に広がって円形状部材１は出入口部３４より押し出される。また出入口部３４の開口横幅Ｈ１は円形状部材１の外径Ｈ０より僅かに小さいことにより、押し出し部３５より円形状部材１を押さない限り円筒状本体３内より円形状部材１が落下することはない。
【００１２】
円筒状本体３内に円形状部材１を収納する場合には、蓋４を取外し開放口３２より円筒状本体３内に入れる。または蓋４をした状態で蓋４側を下方にし、前記と逆に出入口部３４より円形状部材１を押し込んで側壁部３１内に入れてもよい。
【００１３】
なお、上記実施の形態においては、円筒状本体３の一端部を開放口３２に形成し、この開放口３２を塞ぐように蓋４を設けた。しかし、蓋４を設けなくて開放口３２を密閉構造としてもよい。この場合には、当然ながら容器２内には出入口部３４から円形状部材１を入れることになる。しかしながら、本実施の形態のように、円筒状本体３の一端部を開放口３２に形成し、この開放口３２を塞ぐように蓋４を設けると、多数の円形状部材１を円筒状本体３に収納及び円筒状本体３より取り出す場合には好ましい。
【００１４】
このように、押し出し部３５より円形状部材１を押すことにより、円筒状本体３内より円形状部材１を１個ずつ取り出すことができる。また、円筒状本体３の側壁部３１の受け部３３側には、開口横幅Ｈ１が円形状部材１の外径Ｈ０より僅かに小さく、かつ開口縦幅ｔ１が円形状部材１の１枚の厚さｔ０より僅かに大きく形成された出入口部３４が形成され、この出入口部３４に対応した反対側の側壁部３１の受け部３３側及び受け部３３には、開口横幅Ｈ２が円形状部材１の外径Ｈ０より十分に小さく、かつ開口縦幅ｔ２が円形状部材１の２個の厚さ（ｔ０の２倍）より小さい押し出し部３５が形成されているので、不用意に内部の円形状部材１が飛散することがない。
【図面の簡単な説明】
【００１５】
【図１】本発明の円形状部材収納用の円筒状容器の一実施の形態を示し、（ａ）は正面図、（ｂ）は背面図、（ｃ）は側面図、（ｄ）は底面図、（ｅ）は（ａ）のＡ−Ａ線断面図である。
【図２】円形状部材収納用の円筒状容器の一例を示し、（ａ）は正面図、（ｂ）は平面図である。
【符号の説明】
【００１６】
１    円形状部材
２    容器
３    円筒状本体
４    蓋
３１    側壁部
３２    開放口
３３    受け部
３４    出入口部
３５    押し出し部
Ｈ０    円形状部材の外径
Ｈ１    出入口部の開口横幅
Ｈ２    押し出し部の開口横幅
ｔ０    円形状部材の厚さ
ｔ１    出入口部の開口縦幅
ｔ２    押し出し部の開口縦幅
【図１】
2006346133.tif 000003
【図２】
2006346133.tif 000004